(57)【要約】【課題】隣接するパネル体の側端縁間に形成された空間を特段の工具等無く容易に遮蔽出来るとともに、テーブルの外観体裁を好ましくすることが出来るパネル装置を提供すること。【解決手段】テーブル１０に取付けられ、隣接する遮蔽用のパネル２０、３０の側端縁間に形成された空間を上下方向に沿って閉塞する塞ぎ材を備えたパネル装置であって、塞ぎ材１５は、第１のパネル２０の方向へ開口し第１のパネル２０の側端縁を上下方向に沿って被嵌する被嵌部１６と、この被嵌部１６から隣接する第２のパネル３０に向かって延設されて前記側端縁間に形成された空間を閉塞し第２のパネル３０に近接若しくは当接する閉塞部１７とを備える。【選択図】図３
2008119263.tif 000002
【特許請求の範囲】
【請求項１】
テーブルに取付けられ、隣接する遮蔽用のパネルの側端縁間に形成された空間を上下方向に沿って閉塞する塞ぎ材を備えたパネル装置であって、
前記塞ぎ材は、第１のパネルの方向へ開口し前記第１のパネルの側端縁を上下方向に沿って被嵌する被嵌部と、該被嵌部から隣接する第２のパネルに向かって延設されて前記側端縁間に形成された空間を閉塞し前記第２のパネルに近接若しくは当接する閉塞部とを備えることを特徴とするパネル装置。
【請求項２】
前記閉塞部の先端部を、前記第２のパネルと略平行を成して近接若しくは当接するように傾斜する傾斜部としたことを特徴とする請求項１に記載のパネル装置。
【請求項３】
前記被嵌部の上下方向の両端部を、それぞれ上下に開口したことを特徴とする請求項１または２に記載のパネル装置。
【請求項４】
前記被嵌部を、前記第１のパネルを挟持する一対の直線部を有する形状とし、該一対の直線部のうち前記第２のパネル側の直線部から前記閉塞部を延設したことを特徴とする請求項１ないし３のいずれかに記載のパネル装置。
【発明の詳細な説明】
【技術分野】
【０００１】
本発明は、テーブルに取付けられ、隣接する遮蔽用のパネル体の側端縁間に形成された空間を上下方向に沿って閉塞する塞ぎ材を備えたパネル装置に関する。
【背景技術】
【０００２】
従来のパネル装置は、隣接する両パネルの側端縁の内面に雌ネジ孔を、且つ塞ぎ材の所定箇所に取付孔を適宜設け、この取付孔に挿通したネジを雌ネジ孔に螺合することにより、塞ぎ材をパネルに取付けている（例えば、特許文献１参照）。
【０００３】
【特許文献１】特開２００２−２５３３５３号公報（第２頁、第１図）
【発明の開示】
【発明が解決しようとする課題】
【０００４】
しかしながら、特許文献１にあっては、例えば直角を成して隣接し合う両パネル体から延設した係止部材を脚部に係止して仮止めの状態に置き、その状態でパネル体の裏面側且つ天板側から塞ぎ材をネジ等で螺着するので、塞ぎ材の取付作業に特段の工具を要して作業時間がかかるだけでなく、仮止めの状態で塞ぎ材を位置決めし、位置決めした後に螺着する必要があるなど作業手間を要していた。また、螺着したネジ等により、パネル体を取付けたテーブルの見栄えも好ましいものではなかった。
【０００５】
本発明は、このような問題点に着目してなされたもので、隣接するパネル体の側端縁間に形成された空間を特段の工具等無く容易に遮蔽出来るとともに、テーブルの外観体裁を好ましくすることが出来るパネル装置を提供することを目的とする。
【課題を解決するための手段】
【０００６】
上記課題を解決するために、本発明の請求項１に記載のパネル装置は、
テーブルに取付けられ、隣接する遮蔽用のパネルの側端縁間に形成された空間を上下方向に沿って閉塞する塞ぎ材を備えたパネル装置であって、
前記塞ぎ材は、第１のパネルの方向へ開口し前記第１のパネルの側端縁を上下方向に沿って被嵌する被嵌部と、該被嵌部から隣接する第２のパネルに向かって延設されて前記側端縁間に形成された空間を閉塞し前記第２のパネルに近接若しくは当接する閉塞部とを備えることを特徴としている。
この特徴によれば、パネルの方向へ開口する被嵌部を、パネルの側端縁の上下方向に沿って被嵌することで、隣接する第１のパネルと第２のパネルの側端縁間に形成された空間を特段の工具等無く容易に遮蔽出来るとともに、テーブルの外観体裁を好ましくすることが出来る。
【０００７】
本発明の請求項２に記載のパネル装置は、請求項１に記載のパネル装置であって、
前記閉塞部の先端部を、前記第２のパネルと略平行を成して近接若しくは当接するように傾斜する傾斜部としたことを特徴としている。
この特徴によれば、閉塞部の先端部である傾斜部を第２のパネルと略平行を成して近接若しくは当接することで、パネルの側端縁間に形成された空間をより確実に閉塞することが出来る。
【０００８】
本発明の請求項３に記載のパネル装置は、請求項１または２に記載のパネル装置であって、
前記被嵌部の上下方向の両端部を、それぞれ上下に開口したことを特徴としている。
この特徴によれば、被嵌部の上下方向の両端部を、それぞれ上下に開口しているため、被嵌部を上下することで、嵌合するパネルを第１のパネルから第２のパネルに切替えることが出来る。
【０００９】
本発明の請求項４に記載のパネル装置は、請求項１ないし３のいずれかに記載のパネル装置であって、
前記被嵌部を、前記第１のパネルを挟持する一対の直線部を有する形状とし、該一対の直線部のうち前記第２のパネル側の直線部から前記閉塞部を延設したことを特徴としている。
この特徴によれば、閉塞部が、被嵌部の直線部から延設されていることで、この直線部を除いた曲線状の部位から延設される場合と比べて、閉塞部を形成し易い。
【発明を実施するための最良の形態】
【００１０】
本発明の実施例を以下に説明する。
【実施例１】
【００１１】
本発明の実施例１を図面に基づいて説明すると、先ず図１は、本発明の実施例１におけるパネル装置の全体像を示す斜視図である。図２（ａ）は、実施例１における塞ぎ材の平面図であり、（ｂ）は、（ａ）と同じく側面図である。図３（ａ）は、第１の使用例を示す平面図であり、（ｂ）は、（ａ）の囲い部拡大図である。図４（ａ）は、第２の使用例を示す平面図であり、（ｂ）は、（ａ）の囲い部拡大図である。図５（ａ）は、第３の使用例を示す平面図であり、（ｂ）は、（ａ）の囲い部拡大図である。
【００１２】
図１〜３に示されるように、本実施例のパネルを取付けるテーブル１０は、天板１２と脚部４とから構成され、天板１２は、横方向に長寸の長寸辺１２ａと、この長寸辺１２ａに略直交する、即ち略９０度の角度を形成する縦方向に短寸の短寸辺１２ｂとを有する四辺矩形状に形成されている。脚部４は、天板１２の各周辺角部の背面側に、受座８を介して接続されている（図３参照）。尚、本実施例で言うテーブルとは、オフィス等で使用される机等も含んでいる。
【００１３】
天板１２に接続された脚部４は、パイプ材質などから成る脚本体５の下端に床面との滑動防止する為の軟質材質から成るアジャスタ６が取付けられる２本と、同様に、脚本体５の下端に取付けられたプラスチック材質などからなるキャスタ１が取付けられる２本との計４本で構成されており、このキャスタ１を利用して、テーブル１０の使用側を持ち上げてテーブル１０を所望の場所へ床面上を移送出来るように成っている。
【００１４】
本実施例のテーブル１０の４本の脚部４は上記構成であるが、本実施例の構成に限られず、４本の脚部４全てが、脚本体５とアジャスタ６とから成る構成や、あるいは４本の脚部４全てが、脚本体５とキャスタ１とから成る構成でもよい。また、脚部は上記構成に加えて、例えば、上下伸縮する機能を有していてもよい。更に、脚部の本数は本実施例の４本に限られず、例えば、３本であってもよいし、５本以上であってもよい。
【００１５】
次に、テーブル１０に取付けられた遮蔽用の第１のパネルとしてのパネル２０は、テーブル１０の長寸辺１２ａと略同じ幅の板形状であって、略平行の表裏面を有し、天板１２に対して略直交に配置するように、天板１２の長寸辺１２ａに平行して後述のように取付けられており、パネル２０における天板１２より上方側を仕切板若しくはデスクトップパネルとして利用するとともに、パネル２０における天板１２より下方側を幕板として利用出来るように成っている。
【００１６】
同様に、遮蔽用の第２のパネルとしてのパネル３０は、テーブル１０の短寸辺１２ｂと略同じ幅の板形状であって、天板１２に対して略直交に配置するように、上記長寸辺１２ａと角部を共有し隣接する短寸辺１２ｂに平行して取付けられており、パネル３０における天板１２より上方側を仕切板若しくはデスクトップパネルとして利用するとともに、パネル３０における天板１２より下方側を幕板として利用出来るように成っている。即ち、長寸辺１２ａに平行に取付けられたパネル２０と、長寸辺１２ａに略直交する短寸辺１２ｂに平行に取付けられたパネル３０とは、略直交、即ち略９０度を形成して配設されている。
【００１７】
尚、パネル２０とパネル３０とは、その材質、端部形状、厚さ寸法等の他の仕様については、同様に形成されているものとする。更に尚、上記したパネル２０、３０は、パネル２０、３０のテーブル１０に面した側面に幅方向に所定間隔で固着された係合部９を、この係合部９と対向するテーブル１０の側部に設けた被係合部７に着脱可能に係合することで、テーブル１０に取付けられる。
【００１８】
そして上記した互いに隣接するパネル２０、パネル３０と、これらパネル２０、３０の側端縁間に形成された空間を上下方向に閉塞する塞ぎ材１５とにより、パネル装置を構成する。
【００１９】
図２に示されるように、本実施例の塞ぎ材１５の構成について説明すると、塞ぎ材１５は、後述するパネルの方向へ開口しパネルの側端縁を上下方向に沿って被嵌する被嵌部１６と、被嵌部１６から隣接するパネルに向かって延設された閉塞部１７とを備えているとともに、弾性を有する透明の樹脂等の材質で形成されている。尚、上記したように本実施例の塞ぎ材１５は、略直交、即ち略９０度を形成して配設されているパネル２０とパネル３０との側端縁間に形成された空間を閉塞するように形成されている。
【００２０】
塞ぎ材１５の構造について詳細に説明すると、塞ぎ材１５の被嵌部１６は、パネルを挟持するようにパネルの厚さ寸法と略同寸法だけ離間した一対の直線部１６ａ、１６ｂを有しており、この一対の直線部１６ａ、１６ｂは、パネルの側端縁に形成された曲線と略同じ曲率半径の曲線部１６ｃを介して連続しており、一対の直線部１６ａ、１６ｂと曲線部１６ｃとで上面視略Ｕ字形状に形成されている。また、この一対の直線部１６ａ、１６ｂのうち、第２のパネル側の直線部１６ｂから閉塞部１７を延設している。この閉塞部１７は、自然状態においてパネルの外方側に向かって膨出する緩やかな上面視Ｒ形状を成して後述の傾斜部１７ａと連続している。更に、上記した被嵌部１６と閉塞部１７とを有する塞ぎ材１５は、被嵌部１６の上下方向の両端部を、それぞれ上下に開口しており、上下方向に亘って略同じ横断面形状を有している。
【００２１】
また、閉塞部１７の先端部は、パネルの背面と略平行を成して近接若しくは当接するように傾斜する傾斜部１７ａに形成されている。更に、閉塞部１７のテーブル外方側に面する側面に、上下方向に沿って凹凸面１７ｂが形成されている。塞ぎ材１５は、上記のように、透明の樹脂から形成されているので、パネル若しくはパネルに取付けられたクロス材の色彩の影響を受けず、外観体裁がよい。また、凹凸面１７ｂが、パネル外方から内方を見え難くする効果を有する。
【００２２】
次に、図３（ａ）、（ｂ）に示されるように、上記した構造の塞ぎ材１５の使用例について説明すると、第１の使用例の塞ぎ材１５は、一台のテーブル１０の隣接する長寸辺１２ａ、短寸辺１２ｂにそれぞれ接続されたパネル２０、３０の側端縁間に取付けられる。具体的には、パネル２０におけるパネル３０側の側端縁を、塞ぎ材１５の弾性力を利用して、被嵌部１６の直線部１６ａ、１６ｂで挟持するように嵌合すると、隣接するパネル３０側の直線部１６ｂから延設された閉塞部１７が、パネル３０に向かって延び、閉塞部１７の先端部である傾斜部１７ａが、パネル３０の背面に近接若しくは当接することで、塞ぎ材１５全体として、パネル２０とパネル３０との側端縁間に形成された空間を上下方向に沿って閉塞する。また、閉塞部１７を上記空間の内方に進入させて被嵌部１６をパネルの側端縁に嵌合させる際に、傾斜部１７ａがパネル３０の背面に当接した場合には、上記した閉塞部１７のＲ形状によって、閉塞部１７がパネルの外方側に向かって膨出する弾性力が生まれることで、塞ぎ材１５をパネル２０、３０の側端縁間に装着し易い。
【００２３】
尚、本使用例の塞ぎ材１５は、上記したように略直交する、即ち略９０度の角度を形成して隣接するパネル２０、３０の側端縁間に形成された空間を閉塞するべく形成されているため、前記空間を閉塞した状態において、閉塞部１７とパネル２０とが上面視略４５度に形成されるとともに、同様に閉塞部１７とパネル３０とが上面視略４５度に形成される。即ち、閉塞部１７が、略９０度の角度を形成して隣接するパネル２０、３０の側端縁間を、両パネル２０、３０に対して均等な角度で閉塞するため、被嵌部１６を上下反転させて使用すれば、隣接する両パネル２０、３０のいずれに被嵌させても同様の形状に閉塞出来るばかりか、テーブル１０外方からの外観体裁を損なうことがない。
【００２４】
次に、図４（ａ）、（ｂ）に示されるように、第２の使用例の塞ぎ材１５、１５１は、上記したテーブル１０に、同一仕様のテーブル１０１を、その長寸辺同士が直線状になるように短寸辺同士を平行に近付けた状態で横並びに配置して、前記直線状となった長寸辺にそれぞれパネル２０、２０ａを取付けるとともに、２台のテーブル１０、１０１に共通する１枚のパネル３０を前記平行に近付けた短寸辺の間に取付け、上記したパネル２０、２０ａ、パネル３０の互いに隣接する側端縁に形成された空間を閉塞するものである。即ち、パネル３０がパネル２０、２０ａに対しそれぞれ略９０度の角度を形成して隣接する、つまり上面視略Ｔ字状に形成された３枚のパネル２０、２０ａ、３０により形成された空間を、後述のように２個の塞ぎ材１５、１５１により閉塞するものである。
【００２５】
図４（ｂ）に示されるように、本使用例における第１の塞ぎ材１５は、その被嵌部１６をパネル２０の側端縁に嵌合するとともに、その閉塞部１７の先端部である傾斜部１７ａをパネル３０の図示左側面に近接若しくは当接させる。同様に、塞ぎ材１５と同仕様である第２の塞ぎ材１５１は、その被嵌部１６１をパネル２０ａの側端縁に嵌合するとともに、その閉塞部１７１の先端部である傾斜部１７１ａをパネル３０の図示右側面に近接若しくは当接させる。このようにすることで、３枚のパネル２０、２０ａ、パネル３０により形成された空間を、２個の塞ぎ材１５、１５１によりパネル３０を中心として上面視略対称に閉塞することが出来、見栄えもよい。尚、上記した２個の塞ぎ材１５、１５１は、同じ仕様の塞ぎ材を上下反転して取付けたものであり、このようにすることで、パネルの側端縁に取付けた被嵌部の左右どちら側からでも、閉塞部を延ばすことが出来るため、隣接するパネルの取付け状況に応じて、同じ仕様の塞ぎ材を適用し取付けることが出来る。また、上記と同様に、閉塞部を上記空間の内方に進入させて被嵌部をパネルの側端縁に嵌合させる際に、傾斜部がパネルの背面に当接した場合には、上記した閉塞部のＲ形状によって、閉塞部がパネルの外方側に向かって膨出する弾性力が生まれることで、塞ぎ材をパネルの側端縁間に装着し易い。
【００２６】
次に、図５（ａ）、（ｂ）に示されるように、第３の使用例の塞ぎ材１５、１５２、１５３、１５４は、上記した第２の使用例における２台のテーブル１０、１０１の直線状となった長寸辺に、長寸辺を平行に近付けて配置した同一仕様の２台のテーブル１０２、１０３を更に設け、即ち合計４台のテーブル１０、１０１、１０２、１０３を配置して、テーブル１０２、１０３の互いに平行に近付けた短寸辺間にパネル３０ａを更に取付け、合計４枚のパネル２０、２０ａ、３０、３０ａの互いに隣接する側端縁に形成された空間を閉塞するものである。即ち、パネル３０、３０ａと、パネル２０、２０ａとが略９０度の角度を形成して隣接する、つまり上面視略十字状に形成された４枚のパネル２０、２０ａ、３０、３０ａにより形成された空間を、後述のように４個の塞ぎ材１５、１５２、１５３、１５４により閉塞するものである。
【００２７】
図５（ｂ）に示されるように、本使用例における第１の塞ぎ材１５は、その被嵌部１６をパネル２０の側端縁に嵌合するとともに、その閉塞部１７をパネル３０の図示左側面に向かって延設する。また、第２の塞ぎ材１５２は、その被嵌部１６２をパネル３０の側端縁に嵌合するとともに、その閉塞部１７２をパネル２０の図示下側面に向かって延設する。以下同様に、第３の塞ぎ材１５３、第４の塞ぎ材１５４は、その被嵌部１６３、１６４をそれぞれパネル２０ａ、３０ａの側端縁に嵌合するとともに、その閉塞部１７３、１７４を隣接するパネル３０ａ、２０の側面に向かって延設する。このようにすることで、４枚のパネル２０、２０ａ、３０、３０ａにより形成された空間を、４個の塞ぎ材１５、１５２、１５３、１５４が、それぞれの被嵌部から反時計回り方向にそれぞれの閉塞部を延設して閉塞することが出来、見栄えもよい。
【００２８】
また、本使用例における塞ぎ材１５、１５２、１５３、１５４は、その閉塞部の先端部である傾斜部１７ａ、１７２ａ、１７３ａ、１７４ａが、隣接するパネルに取付けた隣接する塞ぎ材の被嵌部１６２、１６３、１６４、１６の外面とそれぞれ当接している。即ち、４枚のパネル２０、２０ａ、３０、３０ａに対し、４個の塞ぎ材の被嵌部１６２、１６３、１６４、１６がそれぞれ嵌合しており側端縁において肉厚となっているため、上記のように傾斜部１７ａ、１７２ａ、１７３ａ、１７４ａが被嵌部１６２、１６３、１６４、１６の外面と当接する。このようにすることで、塞ぎ材１５、１５２、１５３、１５４が、隣接するパネルの側端縁間に形成された空間を、より確実に閉塞することができる。また、上記と同様に、閉塞部を上記空間の内方に進入させて被嵌部をパネルの側端縁に嵌合させる際に、傾斜部がパネルの背面に当接した場合には、上記した閉塞部のＲ形状によって、閉塞部がパネルの外方側に向かって膨出する弾性力が生まれることで、塞ぎ材をパネルの側端縁間に装着し易い。
【００２９】
また、本使用例のように、塞ぎ材を、複数台のテーブルに取付けられた複数枚のパネルに嵌合することで、これら複数台のテーブルが、互いに係合された複数枚のパネルを介して、接続されるばかりか、塞ぎ材の嵌合の際に、隣接したパネルの位置を整えるとともに、これら複数台のテーブルの配置位置を整然とすることが出来る。
【実施例２】
【００３０】
次に、本発明の実施例２を図面に基づいて説明すると、先ず図６（ａ）は、実施例２における塞ぎ材の平面図であり、（ｂ）は、（ａ）と同じく側面図である。図７（ａ）は、第４の使用例を示す平面図であり、（ｂ）は、（ａ）の囲い部拡大図である。図８（ａ）は、第５の使用例を示す平面図であり、（ｂ）は、（ａ）の囲い部拡大図である。
【００３１】
図６（ａ）、（ｂ）に示されるように、本実施例の塞ぎ材２５の構成について説明すると、塞ぎ材２５は、上記した実施例１の塞ぎ材１５とほぼ同様の構成であり、即ち一対の直線部２６ａ、２６ｂ及び曲線部２６ｃからなる被嵌部２６と、側面に凹凸面２７ｂ及び先端部に傾斜部２７ａを有する閉塞部２７と、から構成されている。その他材質についても塞ぎ材１５と同様に弾性を有する透明の樹脂からなる。塞ぎ材２５は、実施例１の塞ぎ材１５と比較して、閉塞部２７が延設されている被嵌部２６に対する角度及び閉塞部２７がパネル側に向かって延びている寸法について相違している。また、閉塞部２７は、自然状態において上面視直線形状を成して傾斜部２７ａと連続している。尚、本実施例の閉塞部２７は、上面視直線形状を成しているが、上記した実施例１における塞ぎ材１５の閉塞部１７のように、上面視Ｒ形状を成していてもよい。更に、塞ぎ材２５は、上記のように、透明の樹脂から形成されているので、パネル若しくはパネルに取付けられたクロス材の色彩の影響を受けず、外観体裁がよい。また、凹凸面２７ｂが、パネル外方から内方を見え難くする効果を有する。
【００３２】
次に、図７（ａ）、（ｂ）に示されるように、上記した構造の塞ぎ材２５の使用例について説明すると、第４の使用例の塞ぎ材２５は、一台のテーブル５０の反使用端側に設けられた２枚の隣接したパネル４０、４０ａの側端縁間に形成された空間を後述のように閉塞する。ここで本実施例のテーブル５０の天板５２は、図示下側に使用端側の円弧状辺５２ｅを有するとともに、反使用端側の略中央の頂角から左右方向に略１２０度の内角を有するように、略同じ長さの直辺５２ａ、５２ｂを有し、この直辺５２ａ、５２ｂの端部で略直交する左右側辺５２ｃ、５２ｄを有する形状となっており、全体で上面視左右対称の略五角形状に形成される。そして、このテーブルに取付けられる２枚のパネル４０、４０ａは、直辺５２ａ、５２ｂと同じ幅長さを有する同一仕様であって、この直辺５２ａ、５２ｂと略平行に取付けられており、即ち互いに略１２０度の角度を形成している。
【００３３】
図７（ｂ）に示されるように、第４の使用例の塞ぎ材２５は、一台のテーブル５０の隣接する直辺５２ａ、５２ｂにそれぞれ接続されたパネル４０、４０ａのいずれかに取付けられる。具体的には、パネル４０側の側端縁を、塞ぎ材２５の弾性力を利用して、被嵌部２６で挟持するように嵌合すると、隣接するパネル４０ａ側に延設された閉塞部２７が、パネル４０ａに向かって延び、閉塞部２７の先端部である傾斜部２７ａが、パネル４０ａの背面に近接若しくは当接することで、塞ぎ材２５全体として、パネル４０とパネル４０ａとの側端縁間に形成された空間を上下方向に沿って閉塞する。
【００３４】
尚、本使用例の塞ぎ材２５は、上記したように略１２０度の角度を形成して隣接するパネルの側端縁間に形成された空間を閉塞するべく形成されているため、閉塞部が、両パネル４０、４０ａに対して均等な角度で閉塞するため、被嵌部を隣接する両パネルのいずれに被嵌させても同様の形状に閉塞出来るばかりか、テーブル外方からの外観体裁を損なうことがない。
【００３５】
次に、図８（ａ）、（ｂ）に示されるように、第５の使用例の塞ぎ材は、上記した第４の使用例におけるテーブル５０の直辺５２ａ、５２ｂに、同じ長さの直辺を平行に近付けて配置した同一仕様の２台のテーブル５０１、５０２を更に設け、即ち合計３台のテーブル５０、５０１、５０２を配置して、テーブル５０１、５０２の互いに平行に近付けた直辺間にパネル４０ｂを更に取付け、合計３枚のパネル４０、４０ａ、４０ｂの互いに隣接する側端縁に形成された空間を閉塞するものである。即ち、３枚のパネル４０、４０ａ、４０ｂが、互いに隣接するパネルに対しそれぞれ略１２０度の角度を形成して配置され、この３枚のパネル４０、４０ａ、４０ｂにより形成された空間を、後述のように３個の塞ぎ材により閉塞するものである。
【００３６】
図８（ｂ）に示されるように、本使用例における第１の塞ぎ材２５は、その被嵌部２６をパネル４０の側端縁に嵌合するとともに、その閉塞部２７をパネル４０ａの側面に向かって延設する。また、第２の塞ぎ材２５１は、その被嵌部２６１をパネル４０ａの側端縁に嵌合するとともに、その閉塞部２７１をパネル４０ｂの側面に向かって延設する。以下同様に、第３の塞ぎ材２５２は、その被嵌部２６２をパネル４０ｂの側端縁に嵌合するとともに、その閉塞部２７２を隣接するパネル４０の側面に向かって延設する。このようにすることで、３枚のパネル４０、４０ａ、４０ｂにより形成された空間を、３個の塞ぎ材２５、２５１、２５２が、それぞれの被嵌部から反時計回り方向にそれぞれの閉塞部を延設して閉塞することが出来、見栄えもよい。
【００３７】
また、上記した第３の使用例と同様に、本使用例における塞ぎ材は、その閉塞部の先端部である傾斜部が、隣接するパネルに取付けた隣接する塞ぎ材の被嵌部の外面と当接している。即ち、４枚のパネル２０、２０ａ、３０、３０ａに対し、４個の塞ぎ材の被嵌部がそれぞれ嵌合しており側端縁において肉厚となっているため、上記のように傾斜部が被嵌部の外面と当接する。このようにすることで、塞ぎ材が、隣接するパネルの側端縁間に形成された空間を、より確実に閉塞することができる。
【００３８】
上記した構成を備えたパネル装置の特徴によれば、パネルの方向へ開口する被嵌部を、パネルの側端縁の上下方向に沿って被嵌することで、隣接する第１のパネルと第２のパネルの側端縁間に形成された空間を特段の工具等無く容易に遮蔽出来るとともに、テーブルの外観体裁を好ましくすることが出来る。
【００３９】
また、上記した構成を備えたパネル装置の特徴によれば、閉塞部の先端部である傾斜部を第２のパネルと略平行を成して近接若しくは当接することで、パネルの側端縁間に形成された空間をより確実に閉塞することが出来る。
【００４０】
また、上記した構成を備えたパネル装置の特徴によれば、被嵌部の上下方向の両端部を、それぞれ上下に開口しているため、被嵌部を上下することで、嵌合するパネルを第１のパネルから第２のパネルに切替えることが出来る。
【００４１】
更に、上記した構成を備えたパネル装置の特徴によれば、閉塞部が、被嵌部の直線部から延設されていることで、この直線部を除いた曲線状の部位から延設される場合と比べて、閉塞部を形成し易い。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、上記実施例では、塞ぎ材は、隣接したパネル同士が略９０度の角度、若しくは略１２０度の角度に形成された側端縁間の空間を閉塞しているが、隣接したパネル同士に形成される角度は上記に限られず、９０度に満たない鋭角や９０度を超える鈍角で何度であっても構わない。
【００４４】
また、上記実施例では、塞ぎ材は、被嵌部の上下方向の両端部がそれぞれ上下に開口しているが、必ずしも上記に限られず、被嵌部は上下方向の一方の端部若しくは両端部が遮蔽された遮蔽部を有していてもよい。このようにすることで、前記遮蔽部をパネルの上下端面と当接させることが出来るため、塞ぎ材をパネルから脱落防止できる。
【図面の簡単な説明】
【００４５】
【図１】本発明の実施例１におけるパネル装置の全体像を示す斜視図である。
【図２】（ａ）は、実施例１における塞ぎ材の平面図であり、（ｂ）は、（ａ）と同じく側面図である。
【図３】（ａ）は、第１の使用例を示す平面図であり、（ｂ）は、（ａ）の囲い部拡大図である。
【図４】（ａ）は、第２の使用例を示す平面図であり、（ｂ）は、（ａ）の囲い部拡大図である。
【図５】（ａ）は、第３の使用例を示す平面図であり、（ｂ）は、（ａ）の囲い部拡大図である。
【図６】（ａ）は、実施例２における塞ぎ材の平面図であり、（ｂ）は、（ａ）と同じく側面図である。
【図７】（ａ）は、第４の使用例を示す平面図であり、（ｂ）は、（ａ）の囲い部拡大図である。
【図８】（ａ）は、第５の使用例を示す平面図であり、（ｂ）は、（ａ）の囲い部拡大図である。
【符号の説明】
【００４６】
４                脚部
１０              テーブル
１２              天板
１２ａ            長寸辺
１２ｂ            短寸辺
１６              被嵌部
１６ａ            直線部
１６ｂ            直線部
１６ｃ            曲線部
１７              閉塞部
１７ａ            傾斜部
１７ｂ            凹凸面
２０、２０ａ      パネル
３０、３０ａ      パネル
４０、４０ａ      パネル
【図１】
2008119263.tif 000003
【図２】
2008119263.tif 000004
【図３】
2008119263.tif 000005
【図４】
2008119263.tif 000006
【図５】
2008119263.tif 000007
【図６】
2008119263.tif 000008
【図７】
2008119263.tif 000009
【図８】
2008119263.tif 000010